(57)【要約】      （修正有）【課題】ネットワークを通じて、ユーザに書籍に関するユニークなコンテンツや情報を提示するためのシステム、および、ネットワークを通じて、ユーザから書籍に関する情報、あるいは書籍から派生する映画に関する情報を入手し、ユーザにこれらの情報をタイムリーに提示または配信するシステムおよび方法を提供する。【解決手段】書籍情報送信システム１００は、データベース１０と、１つまたは複数の端末２０と、データベース１０と端末２０とを接続するネットワーク３０とを備え、前記データベース１０は、書籍の予告編の画像データと、書籍に関する内容データとを格納する。データベース１０が端末２０から書籍に関するメタデータを受け取ると、このメタデータを基に、自身に格納された情報を検索し、前記検索した情報を端末２０に送る。【選択図】図１
2009015647.tif 000002
【特許請求の範囲】
【請求項１】
データベースと、１つまたは複数の端末と、前記データベースと前記端末とを接続するネットワークと、を備える書籍情報送信システムであって、
前記データベースは、書籍の予告編の画像データと、書籍に関する内容データとを格納し、
前記データベースが前記端末から書籍に関するメタデータを受け取ると、前記メタデータを基に、自身に格納された情報を検索し、前記検索した情報を前記端末に送ることを特徴とする書籍情報送信システム。
【請求項２】
前記データベースは、前記メタデータを記録し、前記端末から要求があった場合に、前記記録したメタデータを前記端末に送ることを特徴とする請求項１に記載の書籍情報送信システム。
【請求項３】
前記内容データは、複数のカテゴリーに分類されており、前記カテゴリーは、書籍の物語の登場人物に関する情報と、物語の舞台と、登場人物のセリフと、特定のシーンとを含むことを特徴とする請求項１または２に記載の書籍情報送信システム。
【請求項４】
前記画像データを作成するためのデータ作成用ツールをさらに含むことを特徴とする請求項１に記載の書籍情報送信システム。
【請求項５】
前記データベースに格納された画像データは予告編に関する追加情報を含み、前記端末から要求があった場合に、前記データベースはこの追加情報を前記端末に送ることを特徴とする請求項１に記載の書籍情報送信システム。
【請求項６】
前記追加情報は、前記画像データを制作した監督およびスタッフ、並びに出演者のプロフィールを含むことを特徴とする請求項５に記載の書籍情報送信システム。
【請求項７】
前記データベースに記録されるメタデータは、前記画像データの視聴回数を含むことを特徴とする請求項２に記載の書籍情報送信システム。
【請求項８】
前記画像データの視聴回数は、重み付けされていることを特徴とする請求項７に記載の書籍情報送信システム。
【請求項９】
書籍の予告編の画像データと、書籍に関する内容データとを格納しているデータベースと、１つまたは複数の端末と、前記データベースと前記端末とを接続するネットワークと、を備える書籍情報送信システムを用いて書籍に関する情報を提示する方法であって、
前記端末が書籍に関するメタデータを受け取るステップと、
前記端末が前記受け取ったメタデータを前記データベースに送るステップと、
前記データベースが、前記メタデータを基に、自身に格納した情報を検索するステップと、
前記データベースが、前記検索した情報を前記端末に送るステップと、
を含む方法。
【請求項１０】
前記データベースが、前記メタデータを自身に記録するステップと、
前記端末から要求があった場合に、前記データベースが前記記録したメタデータを前記端末に送るステップと、
をさらに含むことを特徴とする請求項９に記載の方法。
【請求項１１】
前記内容データは、複数のカテゴリーに分類されており、前記カテゴリーは、書籍の物語の登場人物に関する情報と、物語の舞台と、登場人物のセリフと、特定のシーンとを含むことを特徴とするとする請求項９または１０に記載の方法。
【請求項１２】
前記データベースに格納された画像データは画像に関する追加情報を含み、
前記端末から要求があった場合に、前記データベースが前記追加情報を前記端末に送るステップをさらに含むことを特徴とする請求項９に記載の書籍情報送信システム。
【請求項１３】
前記追加情報は、前記画像データを制作した監督およびスタッフ、並びに出演者のプロフィールを含むことを特徴とする請求項１２に記載の書籍情報送信システム。
【請求項１４】
前記データベースに記録されるメタデータは、前記画像データの視聴回数を含むことを特徴とする請求項１０に記載の書籍情報送信システム。
【請求項１５】
前記画像データの視聴回数は、重み付けされていることを特徴とする請求項１４に記載の書籍情報送信システム。
【発明の詳細な説明】
【技術分野】
【０００１】
本発明は、書籍情報送信システムおよび方法に関する。より詳細には、本の予告編を含む、書籍に関する様々なコンテンツをユーザに提示する書籍情報送信システムおよび方法に関する。
【背景技術】
【０００２】
近年、パーソナルコンピュータ、携帯端末、携帯電話などの通信機器の普及、インターネット加入者の増大、インターネット接続のブロードバンド化等により、ネット社会におけるインフラが急速に整備されている。これに伴い、特定のプロバイダからユーザに様々なコンテンツが提供されている。例としては、ブロードバンド放送局、ポータブルサイトや様々なウェブサイトからの動画配信、ワンセグなどの携帯端末用コンテンツ、ビデオポッドキャスティングサービスなどが挙げられる。また、ＹｏｕＴｕｂｅ（登録商標）、ニコニコ動画（登録商標）などの多くの動画ポータルサイトが誕生した。ＹｏｕＴｕｂｅの閲覧者数は約２９億７５００万人／日、ニコニコ動画は約１００万人／日にも達している。そうした動向に応じて、複数の大手企業も動画サイトを開設し始めている。
【０００３】
また、ユーザは、単にこれらのコンテンツを閲覧するだけではなく、ホームページ、プログなどでユーザ自身が他のユーザにコンテンツを提供することも可能である。２００７年３月の時点で、８００万人弱のユーザがブログ開設し、２，５００万人強のユーザがブログを閲覧している。
【０００４】
これらのネット社会の普及により、ネットを通じて様々な商品を購入することが可能となった。とりわけ、書籍については、ネット販売サイトが年々増加している（非特許文献１参照）。これに伴いネットを通じて書籍を購入するユーザが増えている。さらに、書籍の内容をダウンロード販売してウェブ上で閲覧する電子書籍が登場した。その市場規模は２００６年３月末で約９４億円であり、その伸び率は一般書籍の約７〜８倍に相当する。携帯電話のサイトを通じて配信されるケータイ小説と呼ばれるものも登場し、ベストセラー本を多数輩出している。
また、より多くのユーザに書籍を購入させる目的で、書籍販売業者によるアフィリエイトなどの広告が普及している。さらに、書籍の購入サイトに、レビュー項目など、ユーザが感想を書き込むことができ、これらの広告やレビューの内容がユーザの購入書籍の決定に影響を与えている。しかし、これらの広告コンテンツは、面白さに欠けており、より新しいメディアに対応したユニークなコンテンツが求められている。
【０００５】
一方、現在上映されている、または放送されている映画やテレビドラマのほとんどは、小説またはコミックを原作として映像化したものである。映画やテレビドラマの制作サイトとしては、常に映像化に適した小説、コミックを捜索する必要がある。しかし、今日では、人々の趣味、趣向が多様化し、流行の移り変わりも激しく、最適な小説、コミック等を捜索するためには、広範囲で、かつ迅速な調査や、観客とのコミュニケーションが必要である。
【０００６】
映画やテレビドラマを制作するには、多額の費用が必要であり、そのためには、個人投資家から資金を調達しなくてはならない。資金調達には、多くのマーケット情報を必要とする。しかし、上記のように適切なマーケット情報をタイミリーに入手するのは極めて困難で、骨の折れる作業である。
【非特許文献１】インターネットストア、アマゾンのＵＲＬ  http://www.amazon.co.jp/  （平成１９年７月４日検索）
【発明の開示】
【発明が解決しようとする課題】
【０００７】
本発明は、上記のような問題を解決するために、現行のネット市場の動向を考慮して創案したものであり、本発明の課題は、ネットワークを通じて、ユーザに書籍に関する画像等で構成されるユニークなコンテンツや情報を提示するための書籍情報送信システムおよび方法を提供することである。
【０００８】
本発明の他の課題としては、ネットワークを通じて、ユーザから書籍に関する様々な情報を入手し、ユーザにこれらの情報をタイムリーに提示または配信する書籍情報送信システムおよび方法を提供することである。
【課題を解決するための手段】
【０００９】
前記課題を解決するために、本発明は、データベースと、１つまたは複数の端末と、前記データベースと前記端末とを接続するネットワークとを備える書籍情報送信システムであって、前記データベースは、書籍の予告編の画像データと、書籍に関する内容データとを格納し、前記データベースが前記端末から書籍に関するメタデータを受け取ると、前記メタデータを基に、自身に格納された情報を検索し、前記検索した情報を前記端末送ることを特徴とする書籍情報送信システムを提供する。
【００１０】
さらに、前記データベースは、前記メタデータを記憶し、前記端末から要求があった場合に、前記記録したメタデータを前記端末に送るように構成されている。また、前記内容データは、カテゴリーごとに分類されており、このカテゴリーは、書籍の物語の登場人物に関する情報と、物語の舞台と、登場人物のセリフと、特定のシーンとを含む。
【００１１】
前記システムにユーザがアクセスすれば、特定の書籍の予告編を視聴することができる。ユーザはその予告編の内容を考慮して、書籍の購入有無を決定することができる。また、購入したい書籍が決定していない場合でも、物語の登場人物や舞台などのメタデータを前記システムに入力すれば、システムがそのデータに一致した書籍を紹介する。ユーザは、必要ならば、この書籍の予告編の動画を視聴して、購入の有無を決定することができる。
【００１２】
また、前記システムは、ユーザが入力した前記メタデータを記録するように構成されており、これらのデータをユーザに提示または配信することができる。このデータは、出版会社や映画またはドラマ制作会社などにとっては、貴重な市場情報となり得る。
【発明の効果】
【００１３】
本発明の書籍情報送信システムによって提供される予告編は、クリエイティブ作品と情報コンテンツとの間に位置する従来にない新しいコンテンツである。該システムによって、この新しいコンテンツを拡大するネット市場（ブロードバンド放送、ネットショッピング等）やモバイルメディア市場（ポッドキャスティング等）に導入することができる。
【００１４】
また、ある書籍を映画化またはドラマ化する場合に、その予告編をパイロット版として利用して、様々な企画開発、企画営業、個人投資家からの資金提供などに役立てることが可能となる。
【００１５】
さらに、本発明の書籍情報送信システムは、独自の書籍検索ツールとして機能する。書籍の内容データを複数のカテゴリーに分類して内部に格納することによって、既存の書籍検索とは全く異なる優れた検索機能を提供することが可能となる。
【００１６】
上記予告編用の動画を作成するために、多くの新人監督や新人俳優を採用する必要が生じる。その結果、彼らに活躍する場を提供することになる。また、この予告編の動画によって、彼らがドラマまたは映画制作会社またはスタッフの目に留まり、映画やドラマに採用される可能性がある。つまり、本発明のシステムによって、才能ある新規人材が発掘され、業界が活性化されることになる。
【００１７】
本発明の書籍情報送信システムをワールドワイドに展開し、日本の書籍の海外マーケットの拡大を図り、さらに該システムを海外マーケットのリサーチに役立てることが可能である。
【００１８】
また、本発明の書籍情報送信システムは、ユーザから入力されたメタデータを記録し、他のユーザへ提示するよう構成されている。また、該システムに付属の作成ツールを用いれば、ユーザ自身が予告編を作成することが可能となる。つまり、本発明のシステムによって、従来の一方通行的なサービスとは異なるＷｅｂ２．０的なユーザ参加型の双方向サービスを提供することが可能となる。
【発明を実施するための最良の形態】
【００１９】
添付図面を参照して、以下に本発明の好適な１実施形態を説明する。なお、本実施形態において、「書籍」という用語は、主にストーリー性のある小説、コミックなどを示すが、必ずしもそれらに限定されるものではなく、例えば、専門書などの他の分野の本であってもよい。
【００２０】
図１は、本発明の１実施形態に係る書籍情報送信システム（以下、「送信システム」と称する）の概略図である。図１に示すように、本実施形態の送信システム１００は、データベース１０と、１つまたは複数（図では２つ）の端末２０と、ネットワーク３０とを備えている。データベース１０は、後述する書籍情報と、画像データと、内容データとを格納しており、既存のコンピュータ、ハードディスク、ＲＡＭ（Random Access Memory）、ＣＤ−ＲＯＭ、磁気テープ、フレキシブルディスク、光学式データ保存装置などから構成されている。端末２０は、ユーザがネットワーク３０を介してデータベース１０と情報をやり取りするためのものであり、コンピュータ、携帯端末（ＰＤＡ等）、携帯電話などの既存の通信機器から構成されている。ネットワーク３０は、データベース１０と端末２０とを接続し、通信可能とするものであり、インターネット、イーサネット、広域イーサネットなどの既存のネットワークで構成される。また、ネットワーク３０は、データベース１０および端末２０と直接接続されるか、あるいは、通信回線などを介して間接的に接続されてもよい。
【００２１】
次に図２を参照すると、図１に示したデータベースに格納された書籍データの詳細な構造が示されている。このデータの内容を項目ごとに左から順に説明する。「番号」は、任意の書籍を整理するために用いるものであり、書籍に対して一意的に付与される。「書籍情報」は、書籍に関する基本的な情報であり、タイトル、ジャンル、著者、出版社、ページ数、価格などの情報を含む。「画像データ」は、書籍の予告編の画像であり、書籍の内容、重要なシーン、登場人物、世界観などを映画の予告編のように紹介する。「画像データ」は、静止画でも動画でもよい。動画の場合、その上映時間は、特に限定するものではないが、数十秒から数分程度のショートムービーであってよい。また、動画のフィーマットは、既存のフォーマットを使用してよく、例としては、ＭＰＥＧ−２、ＱｕｉｃｋＴｉｍｅ（登録商標）、ＲｅａｌＶｉｄｅｏ、ＭＰＥＧ−４、ｗｍｖ、Ｆｌａｓｈファイルなどが挙げられる。また、動画の内容は、実写でもアニメーションでもよい。
さらに、「画像データ」は、動画の監督、役者、スタッフ、音楽担当者等の、動画の詳細に関する追加情報を含んでよい。
【００２２】
「内容データ」は、書籍の内容に関する様々な情報をカテゴリー別に紹介するためのデータであり、本実施形態では、登場人物情報、物語の舞台情報、セリフ情報、シーン情報のカテゴリーに分類されている。「登場人物情報」は、書籍の物語の登場人物に関する情報を示すものであり、各登場人物の性別、年齢、性格、職業、携帯品、趣味などの項目に分類してよい。「物語の舞台情報」は、書籍の物語の舞台となる国と地域や、登場人物が行く場所や、印象的な場所、それらの基本情報を含む。「セリフ情報」は、書籍の物語のセリフを示し、人生訓、恋愛、激励、感謝などの項目に分類してよい。「シーン情報」は、特定のシーンに関する情報であり、出会い、別離、戦い、その他の印象的なシーンなどの項目に分類してよい。さらに、内容データは、新刊、ベストセラー、名作（各賞受賞作）、クラシック（文学、古典）、電子書籍、人気作家、リクエスト（本や作家に多数のリクエストが寄せられた作品）、プロダクトプレイスメント（登場人物の携行品、利用するお店なのが予告編動画のスポンサーとして付いた作品）などの情報を含んでよい。
【００２３】
次に、本発明の第１の特徴である、送信システムを用いてユーザに書籍に関する情報を提供する手順について説明する。
【００２４】
図１の送信システム１００を使用するユーザは、主に以下の２種類に分類可能と思われる。前者は、自分が読みたい書籍や、ある書籍に関する情報を探すことが目的の個人ユーザである。後者は、映画やテレビドラマを制作するために、その原作となる書籍を探すことが目的の法人ユーザである。
【００２５】
まず、図３を参照して、前者の個人ユーザに情報を提供する手順を説明する。ユーザは、まず、図１の端末２０を使用して、ネットワーク３０を介してデータベース１０にアクセスする（Ｓ１）。ユーザは、自分と同年代、自分と同じ職業および趣味を持つ主人公が活躍する物語の小説を探していると仮定する。この場合、ユーザは主人公の年齢、職業、趣味などの各種のメタデータ（キーワード）を端末２０に入力する（Ｓ２）。データベース１０は、ネットワーク３０経由で端末２０から上記メタデータを受け取り、自身が格納している情報の「登場人物情報」から受け取ったメタデータに一致する情報を検索する（Ｓ３）。検索した結果、一致した情報があった場合には（Ｓ３で「ＹＥＳ」）、データベース１０は一致した情報に関する書籍の書籍情報を端末２０に送る（Ｓ４）。ユーザをその情報を端末２０で閲覧し、必要ならば、その書籍に関する内容データや画像データを参照する。そして、この書籍を購入するかどうかを決定する。また、検索した結果、一致する情報がない場合には（Ｓ３で「ＮＯ」）、そのまま処理を終了するか、あるいは、一致する情報がない旨を端末２０でユーザに告知する。
【００２６】
また、個人ユーザが、自分が気に入っている小説の登場人物や物語の舞台となった場所などについて詳細を知りたい場合には、端末２０を介して、データベース１０にアクセスすればよい。そして、小説のタイトルなどのメタデータを入力し、その小説の登場人物情報、物語の舞台情報の参照を要求すれば、データベース１０は、これらの情報を端末２０に送る。よって、ユーザは、端末２０で、自分が気に入っている小説の登場人物や物語の舞台となった場所などの詳細を参照することができる。
【００２７】
さらに、個人ユーザが、ある物語の印象的なシーンにおける主人公のセリフを知りたい場合には、同様に端末２０を介して、データベース１０にアクセスすればよい。そして、小説のタイトルなどのメタデータを入力し、その小説のセリフ情報の参照を要求すれば、データベース１０は、これらの情報を端末２０に送る。よって、ユーザは、端末２０で、自分が該当の小説の所望のシーンにおける主人公のセリフを参照することができる。
【００２８】
なお、ユーザが入力するメタデータは、書籍を検索するための各種のキーワードを含み、その内容については特に限定はしない。また、データベース１０の検索方法についても特に限定をせず、当該技術における公知の検索方法を採用してよい。
【００２９】
次に、図３を参照して、法人ユーザに情報を提供する手順について説明する。例えば、法人ユーザが、俳優Ａを主役とした映画またはテレビドラマを制作するために、その原作となる小説またはコミックを探していると仮定する。
【００３０】
まず、ユーザが端末２０を介して、データベース１０にアクセスする（Ｓ１）。次いで、俳優Ａの性別、年齢、性格、タイプなどのメタデータを入力する（Ｓ２）。データベース１０は、端末２０から上記メタデータを受け取り、自身が格納する登場人物情報から一致する情報がないかどうか検索をする（Ｓ３）。一致するデータが存在した場合には（Ｓ３で「ＹＥＳ」）、データベース１０はこのデータに関する書籍情報を端末２０に送る（Ｓ４）。ユーザは、端末２０でこの書籍情報を閲覧し、必要ならば、その書籍に関する画像データや内容データを参照する。そして、この書籍を映像化するかどうかを決定する。また、検索した結果、一致する情報がない場合には（Ｓ３で「ＮＯ」）、そのまま処理を終了するか、あるいは、一致する情報がない旨を端末２０でユーザに告知する。
【００３１】
また、上記個人または法人ユーザが、予告編の動画を視聴した後に、その動画に関する情報（制作した監督、出演した俳優等）に興味を持ったと仮定する。その場合、ユーザは端末２０からその画像データの詳細に関する追加情報を要求することができる。それの要求応じて、データベース１０は、その画像データの追加情報を端末２０に送付する。それにより、ユーザは画像データの追加情報を見ることができる。
【００３２】
以上がユーザに書籍情報を提供する手順である。次に、本発明の第２の特徴である、書籍に関する様々な情報をユーザから入手し、この情報をユーザに提示する手順について説明する。
【００３３】
ユーザが上記のように書籍を検索する等の目的でメタデータを入力した場合に、データベース１０はこれらのデータを記録するように構成されている。そして、カテゴリーごとにデータを集計して提示することができる。
【００３４】
例えば、ユーザが、端末２０を介して、データベース１０へアクセスして、購入する書籍を検索するために、書籍情報のジャンルとして「ロマンス」、内容データの登場人物情報として「２０代の男性」とメタデータを入力したと仮定する。このとき、データベース１０は、これらのメタデータを記録する。
そして、ユーザは、端末２０でこれらの記録されたメタデータを参照することができる。例えば、書籍情報のジャンルにおいて、「ＳＦ」というメタデータが最も多く入力されており、内容データの登場人物情報において、「２０代の女性」というメタデータが最も多く入力されていたとする。その場合には、２０代の女性が登場するＳＦ小説やＳＦコミックが最も需要が高いと予測することができる。これらのデータは、潜在的な顧客の関心度を示すものであり、特定のユーザ、例えば、出版社や映画またはドラマ制作会社にとって、貴重な市場データとなり得る。
【００３５】
これらのメタデータの提示方法としては、特に限定はしないが、生データで提示するよりも、グラフなどでビジュアル化した統計データの形式で提示するほうが好ましい。また、例えば、事前にユーザの個人情報（性別、年齢、職業）などを入手し、これらの情報と関連付けてメタデータを提示すれば、例えば、１０代の男性は、ホラー小説を求めており、２０代の女性はロマンス小説を求めているなど、より詳細な情報を提示することができる。
さらに、上記した画像データの視聴回数をメタデータとして記録することも可能である。これは、画像データの視聴回数の多い書籍ほど、顧客の関心が高く、映画化またはドラマ化が望まれていると考えられるからである。また、この視聴回数にユーザに関連した重み付け評価を行ってよい。例えば、個人ユーザよりも法人ユーザの方が重要と判断した場合に、法人ユーザの視聴回数に重み付けをしてよい。
【００３６】
また、これらのメタデータの記録形式については、特に限定はしないが、例えば、図２に示したデータ構造のように、複数の項目に分類されていることが好ましい。
【００３７】
また、上記実施形態では、メタデータをユーザの要求に応じて提示しているが、別の実施形態では、ユーザに自動的に配信してもよい。例えば、送信システムの管理者と出版社や、映画またはドラマ制作会社とが契約を結び、定期的にデータを自動配信するようにしてよい。
【００３８】
本実施形態において、書籍情報送信システム１００のデータベース１０に記憶された画像データおよび内容データは、システム作成者によって作成または用意されるものであるが、代替的に、端末２０を介してユーザが作成するようにしてもよい。その場合には、システム内にデータ作成用の編集プログラムや装丁デザイン、画像、音楽などを含んだデータ作成用ツールを設けて、ユーザが簡単に作成できるようにする必要がある。
【００３９】
本実施形態において、書籍情報は、システム管理者によってマニュアルでデータベース１０に登録または更新されてよい。しかし、データベース１０を所定のサーバ等にネットワーク経由で接続し、そのサーバからデータを自動転送することによって、書籍情報を自動的に登録または更新することがより好ましい。
【００４０】
以上、本発明を図面に示した実施形態を用いて説明したが、これらは例示的なものに過ぎず、本技術分野の当業者ならば、本発明の範囲および趣旨から逸脱しない範囲で多様な変更および変形が可能なことは理解できるであろう。したがって、本発明の技術的範囲は、説明された実施形態によって定められず、特許請求の範囲により定められねばならない。
【図面の簡単な説明】
【００４１】
【図１】本発明の１実施形態に係る書籍情報送信システムの概略図である。
【図２】図１のデータベースに格納されたデータの構造を示す図である。
【図３】本発明の１実施形態に係る書籍情報送信システムが行う処理のフローチャートである。
【符号の説明】
【００４２】
１００  書籍情報送信システムシステム
１０    データベース
２０    端末
３０    ネットワーク
【図１】
2009015647.tif 000003
【図２】
2009015647.tif 000004
【図３】
2009015647.tif 000005